(57)【要約】【課題】  工業所有権に関わる文献情報に関連する文献情報の認識が簡単な構成で容易な工業所有権に関わる文献情報検索システムを提供する。【解決手段】  文献情報データベースから所定の文献情報に関連する他の文献情報を特定する関連文献固有情報と、所定の文献情報および他の文献情報のファミリ関連や引用関連に関する関連情報とを互いに関連付けて１つのレコードとしたファミリ関連情報や引用関連情報を作成してサーバ記憶手段３５０に記憶する。検索要求情報取得手段３６３にて取得した検索要求情報の検索対象の文献情報を特定する文献固有情報に基づき、ファミリ関連情報や引用関連情報などのテーブルデータを検索し、報知手段３６６にて端末装置へ送信して報知する。文献情報データベースの全ての文献情報を検索することなく、簡単なデータ構造で検索結果を容易で迅速に取得できる。【選択図】 図３
2005099937.tif 000002
【特許請求の範囲】
【請求項１】
工業所有権に関わる文献情報が複数蓄積された文献情報データベースを用いて所定の文献情報と他の文献情報との関連について検索するための工業所有権に関わる文献情報の検索データ構造であって、
前記文献情報データベースの文献情報に含まれ前記所定の文献情報を特定する固有の情報である文献固有情報と、
前記文献情報データベースの文献情報に含まれ前記所定の文献情報に関連する前記他の文献情報を特定する固有の情報である関連文献固有情報と、
前記所定の文献情報および前記他の文献情報の関連に関する関連情報と、
が互いに関連付けられて１つのレコードとして報知可能に記録された
ことを特徴とした工業所有権に関わる文献情報の検索データ構造。
【請求項２】
請求項１に記載の工業所有権に関わる文献情報の検索データ構造であって、
前記関連情報は、前記所定の文献情報における前記他の文献情報との引用関係に関する引用関係情報を有する
ことを特徴とした工業所有権に関わる文献情報の検索データ構造。
【請求項３】
請求項２に記載の工業所有権に関わる文献情報の検索データ構造であって、
前記引用関係情報は、整理標準化データのコード番号である
ことを特徴とした工業所有権に関わる文献情報の検索データ構造。
【請求項４】
請求項１ないし請求項３のいずれかに記載の工業所有権に関わる文献情報の検索データ構造であって、
前記文献固有情報は、前記所定の文献情報の出願番号に関する願番情報で、
前記関連文献固有情報は、前記他の文献情報の出願番号に関する関連願番情報で、
前記関連情報は、前記他の文献情報における前記所定の文献情報が引用している公報番号に関する公報番号情報を有した
ことを特徴とした工業所有権に関わる文献情報の検索データ構造。
【請求項５】
請求項２ないし請求項４のいずれかに記載の工業所有権に関わる文献情報の検索データ構造であって、
前記関連情報は、前記他の文献情報における前記所定の文献情報が引用している内容に関する引用種別に関する引用種別情報を有した
ことを特徴とした工業所有権に関わる文献情報の検索データ構造。
【請求項６】
請求項１に記載の工業所有権に関わる文献情報の検索データ構造であって、
前記文献固有情報は、前記所定の文献情報の出願番号に関する願番情報で、
前記関連文献固有情報は、前記所定の文献情報に対して原出願となる他の文献情報の出願番号に関する関連願番情報である
ことを特徴とした工業所有権に関わる文献情報の検索データ構造。
【請求項７】
請求項６に記載の工業所有権に関わる文献情報の検索データ構造であって、
前記関連情報は、前記所定の文献情報における前記他の文献情報に対する出願形態に関する出願種別情報を有した
ことを特徴とした工業所有権に関わる文献情報の検索データ構造。
【請求項８】
請求項７に記載の工業所有権に関わる文献情報の検索データ構造であって、
前記出願種別情報は、種別毎に異なる値の１６進数の数値データで、複数の種別である場合に論理和を取った値を１６進数として表される数値データである
ことを特徴とした工業所有権に関わる文献情報の検索データ構造。
【請求項９】
請求項７または請求項８に記載の工業所有権に関わる文献情報の検索データ構造であって、
前記出願種別情報は、整理標準化データのコード体系に準じた数値データである
ことを特徴とした工業所有権に関わる文献情報の検索データ構造。
【請求項１０】
請求項１ないし請求項９のいずれかに記載の工業所有権に関わる文献情報の検索データ構造であって、
前記所定の文献情報または前記他の文献情報に関連するさらに他の文献情報を特定する固有の情報である第３の関連文献固有情報が、前記文献固有情報または前記関連文献固有情報と、前記所定の文献情報または前記他の文献情報との関連に関する関連情報とが互いに関連付けられ、前記所定の文献情報または前記他の文献情報とともに報知可能に１つのレコードとして他のレコードとともに記録された
ことを特徴とした工業所有権に関わる文献情報の検索データ構造。
【請求項１１】
請求項１ないし請求項１０のいずれかに記載の工業所有権に関わる文献情報の検索データ構造が演算手段にて読み取り可能に記録された
ことを特徴とした工業所有権に関わる文献情報の検索データ構造を記録した記録媒体。
【請求項１２】
工業所有権に関わる文献情報が複数蓄積された文献情報データベースを用いて所定の文献情報と他の文献情報との関連について検索するための工業所有権に関わる文献情報検索装置であって、
検索対象の前記所定の文献情報を特定する固有の情報である文献固有情報を取得する文献固有情報取得手段と、
前記取得した文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体に記録された検索データ構造の前記レコードを検索して取得する検索手段と、
前記取得したレコードに基づいて前記文献固有情報とともに前記関連文献固有情報と前記関連情報とを報知する報知手段と、
を具備したことを特徴とした工業所有権に関わる文献情報検索装置。
【請求項１３】
工業所有権に関わる文献情報が複数蓄積された文献情報データベースを用いて所定の文献情報と他の文献情報との関連について検索するための工業所有権に関わる文献情報検索装置であって、
検索対象の前記所定の文献情報を特定する固有の情報である文献固有情報を取得する文献固有情報取得手段と、
前記取得した文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして取得する検索手段と、
前記取得したレコードに基づいて前記文献固有情報、前記関連文献固有情報および前記関連情報を報知する報知手段と、
を具備したことを特徴とした工業所有権に関わる文献情報検索装置。
【請求項１４】
工業所有権に関わる文献情報が複数蓄積された文献情報データベースを用いて所定の文献情報と他の文献情報との関連について検索するための工業所有権に関わる文献情報検索システムであって、
検索対象の前記所定の文献情報を特定する固有の情報である文献固有情報を有し前記所定の文献情報における関連する他の文献情報について検索を要求する検索要求情報を生成する検索要求手段と、検索結果を出力する出力手段と、を備えた端末装置と、
前記端末装置がネットワークを介して送受信可能に接続され、前記文献情報データベースから前記文献情報を読み取る読取手段と、請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造を記憶する記憶手段と、前記ネットワークを介して前記端末装置から取得した前記検索要求情報の文献固有情報と同一の文献固有情報を有する前記記憶手段に記憶された工業所有権に関わる文献情報の検索データ構造の前記レコードを検索して取得する検索手段と、前記取得したレコードに基づいて前記文献固有情報とともに前記関連文献固有情報および前記関連情報を前記検索結果として前記ネットワークを介して前記端末装置の出力手段にて出力可能に報知する報知手段と、を備えたサーバ装置と、
を具備したことを特徴とした工業所有権に関わる文献情報検索システム。
【請求項１５】
工業所有権に関わる文献情報が複数蓄積された文献情報データベースを用いて所定の文献情報と他の文献情報との関連について検索するための工業所有権に関わる文献情報検索システムであって、
検索対象の前記所定の文献情報を特定する固有の情報である文献固有情報を有し前記所定の文献情報における関連する他の文献情報について検索を要求する検索要求情報を生成する検索要求手段と、検索結果を出力する出力手段と、を備えた端末装置と、
前記端末装置がネットワークを介して送受信可能に接続され、前記文献情報データベースから前記文献情報を読み取る読取手段と、前記ネットワークを介して前記端末装置から取得した前記検索要求情報の文献固有情報に基づいて前記読取手段にて前記文献情報データベースから前記所定の文献情報に関連する他の文献情報を特定する固有の情報である関連文献固有情報、および、前記所定の文献情報および前記他の文献情報の関連に関する関連情報を互いに関連付けて１つのレコードとして検索して取得する検索手段と、前記取得したレコードに基づいて前記文献固有情報とともに前記関連文献固有情報および前記関連情報を前記検索結果として前記ネットワークを介して前記端末装置の出力手段にて出力可能に報知する報知手段と、を備えたサーバ装置と、
を具備したことを特徴とした工業所有権に関わる文献情報検索システム。
【請求項１６】
工業所有権に関わる文献情報が複数蓄積された文献情報データベースを用いて演算手段により所定の文献情報と他の文献情報との関連について検索するための工業所有権に関わる文献情報検索方法であって、
前記演算手段は、
検索対象の前記所定の文献情報を特定する固有の情報である文献固有情報を取得し、
この取得した文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造の前記レコードを検索して取得し、
この取得した前記レコードに基づいて前記文献固有情報とともに前記関連文献固有情報と前記関連情報とを報知する
ことを特徴とする工業所有権に関わる文献情報検索方法。
【請求項１７】
工業所有権に関わる文献情報が複数蓄積された文献情報データベースを用いて演算手段により所定の文献情報と他の文献情報との関連について検索するための工業所有権に関わる文献情報検索方法であって、
前記演算手段は、
検索対象の前記所定の文献情報を特定する固有の情報である文献固有情報を取得し、
この取得した文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして取得し、
この取得した前記レコードに基づいて前記文献固有情報、前記関連文献固有情報および前記関連情報を報知する
ことを特徴とする工業所有権に関わる文献情報検索方法。
【請求項１８】
端末装置からのネットワークを介した要求に基づいて工業所有権に関わる文献情報が複数蓄積された文献情報データベースを用いて所定の文献情報と他の文献情報との関連についてサーバ装置にて検索して前記ネットワークを介して前記端末装置に報知する工業所有権に関わる文献情報検索方法であって、
前記サーバ装置は、前記端末装置から前記ネットワークを介して検索対象の前記所定の文献情報を特定する固有の情報である文献固有情報を有し前記所定の文献情報における関連する他の文献情報について検索を要求する検索要求情報を取得し、
この取得した検索要求情報の文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造の前記レコードを検索して取得し、
この取得した前記レコードに基づいて前記文献固有情報とともに前記関連文献固有情報および前記関連情報を前記ネットワークを介して前記端末装置へ検索結果として認識可能に出力して報知する
ことを特徴とする工業所有権に関わる文献情報検索方法。
【請求項１９】
端末装置からのネットワークを介した要求に基づいて工業所有権に関わる文献情報が複数蓄積された文献情報データベースを用いて所定の文献情報と他の文献情報との関連についてサーバ装置にて検索して前記ネットワークを介して前記端末装置に報知する工業所有権に関わる文献情報検索方法であって、
前記サーバ装置は、前記端末装置から前記ネットワークを介して検索対象の前記所定の文献情報を特定する固有の情報である文献固有情報を有し前記所定の文献情報における関連する他の文献情報について検索を要求する検索要求情報を取得し、
この取得した検索要求情報の文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして取得し、
この取得した前記レコードに基づいて前記文献固有情報、前記関連文献固有情報および前記関連情報を前記ネットワークを介して前記端末装置へ検索結果として認識可能に出力して報知する
ことを特徴とする工業所有権に関わる文献情報検索方法。
【請求項２０】
請求項１６ないし請求項１９のいずれかに記載の工業所有権に関わる文献情報検索方法を演算手段に実行させる
ことを特徴とした工業所有権に関わる文献情報検索プログラム。
【請求項２１】
請求項２０に記載の工業所有権に関わる文献情報検索プログラムが演算手段にて読み取り可能に記録された
ことを特徴とした工業所有権に関わる文献情報検索プログラムを記録した記録媒体。
【発明の詳細な説明】
【技術分野】
【０００１】
本発明は、互いに関連する工業所有権に関わる文献情報の検索データ構造、この検索データ構造を記録した記録媒体、その文献情報の検索データ構造を用いて関連する文献情報を検索するための工業所有権に関わる文献情報検索装置、そのシステム、その方法、そのプログラム、および、そのプログラムを記録した記録媒体に関する。
【背景技術】
【０００２】
従来、特許や実用新案、意匠、商標などの工業所有権に関する文献情報を検索する各種検索方法が知られている。例えば、文献情報の出願日や出願人などの検索項目に基づいて、文献情報を蓄積するデータベースから検索対象の文献情報を取得する構成などが取られている。この取得した文献情報として、例えば分割や出願変更などにより出願されたものであれば、原出願に関する出願番号などの関連した文献情報を合わせて取得できるように関連する文献情報に、元の文献情報を１つのレコードとして関連付けたデータ構造とする構成も知られている。また、所定の文献情報に対しての引用文献を検索する構成も知られている（例えば、特許文献１参照）。
【０００３】
この特許文献１に記載のものは、所定の記憶媒体に記憶されている特許情報から引用文献を検索し、この検索した引用文献に対する更なる引用文献を検索する動作を繰り返し、引用文献の引用期間と引用頻度に応じたランキングとに基づいて重要文献リストを作成する構成が採られている。
【０００４】
【特許文献１】特開２０００−１４８７８９号公報（第３頁右欄〜第５頁右欄）
【発明の開示】
【発明が解決しようとする課題】
【０００５】
しかしながら、上述したような従来の検索方法では、例えば原出願についての文献情報は、分割や出願変更などがされた文献情報に対して時系列で古い情報であることから、時系列で新しい文献情報については、認識できない。すなわち、分割や出願変更などされた文献情報を確認して関連する原出願の文献情報を認識する必要がある。このため、工業所有権に関する文献情報のより有用な利用のために関連する文献情報を容易に認識できる構成が望まれている。
【０００６】
本発明の目的は、このような点に鑑みて、工業所有権に関わる文献情報に関連する文献情報の認識が簡単な構成で容易な工業所有権に関わる文献情報の検索データ構造、この検索データ構造を記録した記録媒体、工業所有権に関わる文献情報検索装置、そのシステム、その方法、そのプログラム、および、そのプログラムを記録した記録媒体を提供することである。
【課題を解決するための手段】
【０００７】
本発明の工業所有権に関わる文献情報の検索データ構造は、工業所有権に関わる文献情報が複数蓄積された文献情報データベースを用いて所定の文献情報と他の文献情報との関連について検索するための工業所有権に関わる文献情報の検索データ構造であって、前記文献情報データベースの文献情報に含まれ前記所定の文献情報を特定する固有の情報である文献固有情報と、前記文献情報データベースの文献情報に含まれ前記所定の文献情報に関連する前記他の文献情報を特定する固有の情報である関連文献固有情報と、前記所定の文献情報および前記他の文献情報の関連に関する関連情報と、
が互いに関連付けられて１つのレコードとして報知可能に記録されたことを特徴とする。
【０００８】
この発明では、工業所有権に関わる文献情報が複数蓄積された文献情報データベースの文献情報に含まれ、所定の文献情報を特定する固有の情報である文献固有情報と、所定の文献情報に関連する他の文献情報を特定する固有の情報である関連文献固有情報と、前記所定の文献情報および前記他の文献情報の関連に関する関連情報とが関連付けられて１つのレコードとして報知可能に記録する構成である。このことにより、文献情報データベースの全ての文献情報を検索することなく、所定の文献情報と他の文献情報との関連について、簡単なデータ構造で検索結果が容易で迅速に得られる。
【０００９】
そして、本発明では、請求項１に記載の工業所有権に関わる文献情報の検索データ構造であって、前記関連情報は、前記所定の文献情報における前記他の文献情報との引用関係に関する引用関係情報を有する構成とすることが好ましい。このことにより、関連情報が所定の文献情報における他の文献情報との引用関係に関する引用関係情報を有するので、所定の文献情報に引用された他の文献情報の他に、所定の引用情報が引用された他の文献情報についても簡単なデータ構造で検索結果が迅速に得られる構成が容易に得られる。
【００１０】
また、本発明では、請求項２に記載の工業所有権に関わる文献情報の検索データ構造であって、前記引用関係情報は、整理標準化データのコード番号である構成とすることが好ましい。このことにより、引用関係情報として、工業所有権に関わる文献情報の管理として広く利用されている整理標準化データのコード番号を利用するので、文献情報を複数蓄積する文献情報データベースとの情報の互換が容易に得られ、文献情報データベースを用いた検索が簡単なデータ構造で迅速に得られる構成が容易に得られ、データ構造の構築や更新などのデータ管理も容易にでき、運用管理性が向上して、利用の拡大が容易に図れる。
【００１１】
さらに、本発明では、請求項１ないし請求項３のいずれかに記載の工業所有権に関わる文献情報の検索データ構造であって、前記文献固有情報は、前記所定の文献情報の出願番号に関する願番情報で、前記関連文献固有情報は、前記他の文献情報の出願番号に関する関連願番情報で、前記関連情報は、前記他の文献情報における前記所定の文献情報が引用している公報番号に関する公報番号情報を有した構成とすることが好ましい。このことにより、文献固有情報として所定の文献情報の出願番号に関する願番情報とし、関連文献固有情報として他の文献情報の出願番号に関する関連願番情報とし、関連情報として、他の文献情報における所定の文献情報が引用している公報番号に関する公報番号情報を有した構成とするので、所定の文献情報と他の文献情報との相互の引用関係が双方の文献情報から検出することが可能となり、実際に引用関係となる公報番号情報が合わせて報知されることとなり、検索結果の容易な認識が簡単なデータ構造で容易に得られる。
【００１２】
また、本発明では、請求項２ないし請求項４のいずれかに記載の工業所有権に関わる文献情報の検索データ構造であって、前記関連情報は、前記他の文献情報における前記所定の文献情報が引用している内容に関する引用種別に関する引用種別情報を有した構成とすることが好ましい。このことにより、関連情報として、他の文献情報における所定の文献情報が引用している内容に関する引用種別に関する引用種別情報を設けるので、引用している内容が、例えば異議証拠か拒絶理由かなどが容易に認識可能となり、検索結果を利用した工業所有権の有用な利用が容易に図れる。
【００１３】
そして、本発明では、請求項１に記載の工業所有権に関わる文献情報の検索データ構造であって、前記文献固有情報は、前記所定の文献情報の出願番号に関する願番情報で、前記関連文献固有情報は、前記所定の文献情報に対して原出願となる他の文献情報の出願番号に関する関連願番情報である構成とすることが好ましい。このことにより、文献固有情報が所定の文献情報の出願番号に関する願番情報で、関連文献固有情報が所定の文献情報に対して原出願となる他の文献情報の出願番号に関する関連願番情報とするので、所定の文献情報と他の文献情報との例えば分割や変更、国内優先などの相互の出願形態の関係が簡単なデータ構造により容易で迅速に得られる構成が容易に得られる。
【００１４】
また、本発明では、請求項６に記載の工業所有権に関わる文献情報の検索データ構造であって、前記関連情報は、前記所定の文献情報における前記他の文献情報に対する出願形態に関する出願種別情報を有した構成とすることが好ましい。このことにより、関連情報として所定の文献情報における他の文献情報に対する出願形態に関する出願種別情報を設けているので、所定の文献情報と他の文献情報との関連性の内容が簡単なデータ構造により容易で迅速に得られる構成が容易に得られる。
【００１５】
さらに、本発明では、請求項７に記載の工業所有権に関わる文献情報の検索データ構造であって、前記出願種別情報は、種別毎に異なる値の１６進数の数値データで、複数の種別である場合に論理和を取った値を１６進数として表される数値データである構成とすることが好ましい。このことにより、出願種別情報として、種別毎に異なる値の１６進数の数値データとし、さらに複数の種別である場合には論理和を取った値を１６進数として表される数値データとしているので、例えば工業所有権に関わる文献情報の管理として広く利用されている整理標準化データを利用することが容易となり、文献情報を複数蓄積する文献情報データベースとの情報の互換が容易に得られ、文献情報データベースを用いた検索が簡単なデータ構造で迅速に得られる構成が容易に得られ、データ構造の構築や更新などのデータ管理も容易にでき、運用管理性が向上して、利用の拡大が容易に図れる。
【００１６】
また、本発明では、請求項７または請求項８に記載の工業所有権に関わる文献情報の検索データ構造であって、前記出願種別情報は、整理標準化データのコード体系に準じた数値データである構成とすることが好ましい。このことにより、出願種別情報として、整理標準化データのコード体系に準じた数値データとしているので、工業所有権に関わる文献情報の管理として広く利用されている整理標準化データの利用が容易で、文献情報を複数蓄積する文献情報データベースとの情報の互換が容易に得られ、文献情報データベースを用いた検索が簡単なデータ構造で迅速に得られる構成が容易に得られ、データ構造の構築や更新などのデータ管理も容易にでき、運用管理性が向上して、利用の拡大が容易に図れる。
【００１７】
そして、本発明では、請求項１ないし請求項９のいずれかに記載の工業所有権に関わる文献情報の検索データ構造であって、前記所定の文献情報または前記他の文献情報に関連するさらに他の文献情報を特定する固有の情報である第３の関連文献固有情報が、前記文献固有情報または前記関連文献固有情報と、前記所定の文献情報または前記他の文献情報との関連に関する関連情報とが互いに関連付けられ、前記所定の文献情報または前記他の文献情報とともに報知可能に１つのレコードとして他のレコードとともに記録された構成とすることが好ましい。このことにより、所定の文献情報および他の文献情報との関連とともに、これら所定の文献情報または他の文献情報に関連するさらに他の文献情報までもが合わせて報知されることとなり、より詳細な文献情報の関連が認識可能となり、このさらに他の文献情報に関連する他の文献情報との関連についても報知させることも、さらに関連付けられた１つのレコードとして順次記録する構成とした簡単なデータ構造に変更することで容易に得られ、より詳細な文献情報の関連が容易に検索可能となる。
【００１８】
一方、本発明の工業所有権に関わる文献情報の検索データ構造を記録した記録媒体は、請求項１ないし請求項１０のいずれかに記載の工業所有権に関わる文献情報の検索データ構造が演算手段にて読み取り可能に記録されたことを特徴とする。
【００１９】
この発明では、請求項１ないし請求項１０のいずれかに記載の工業所有権に関わる文献情報の検索データ構造を記録している。このことにより、文献情報データベースの全ての文献情報を検索することなく、所定の文献情報と他の文献情報との関連について、簡単なデータ構造で容易に迅速な検索が容易に得られ、利用の拡大が容易に図れる。
【００２０】
また、本発明の工業所有権に関わる文献情報検索装置は、工業所有権に関わる文献情報が複数蓄積された文献情報データベースを用いて所定の文献情報と他の文献情報との関連について検索するための工業所有権に関わる文献情報検索装置であって、検索対象の前記所定の文献情報を特定する固有の情報である文献固有情報を取得する文献固有情報取得手段と、前記取得した文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体に記録された検索データ構造の前記レコードを検索して取得する検索手段と、前記取得したレコードに基づいて前記文献固有情報とともに前記関連文献固有情報と前記関連情報とを報知する報知手段と、を具備したことを特徴とする。
【００２１】
この発明では、文献固有情報取得手段にて取得した検索対象の所定の文献情報を特定する固有の情報である文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体に記録された検索データ構造のレコードを検索手段にて検索して取得し、この取得したレコードに基づいて報知手段により文献固有情報とともに関連文献固有情報と関連情報とを報知させる。このことにより、文献情報データベースの全ての文献情報を検索することなく、所定の文献情報と他の文献情報との関連について、簡単なデータ構造で容易に迅速な検索が容易に得られ、利用の拡大が容易に図れる。
【００２２】
さらに、本発明の工業所有権に関わる文献情報検索装置は、工業所有権に関わる文献情報が複数蓄積された文献情報データベースを用いて所定の文献情報と他の文献情報との関連について検索するための工業所有権に関わる文献情報検索装置であって、検索対象の前記所定の文献情報を特定する固有の情報である文献固有情報を取得する文献固有情報取得手段と、前記取得した文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして取得する検索手段と、前記取得したレコードに基づいて前記文献固有情報、前記関連文献固有情報および前記関連情報を報知する報知手段と、を具備したことを特徴とする。
【００２３】
この発明では、文献固有情報取得手段にて取得した検索対象の所定の文献情報を特定する固有の情報である文献固有情報に基づいて、文献情報データベースから所定の文献情報に関連する他の文献情報を特定する固有の情報である関連文献固有情報と、所定の文献情報および他の文献情報の関連に関する関連情報とを互いに関連付けて１つのレコードとして検索手段にて検索して取得し、この取得したレコードに基づいて報知手段により文献固有情報、関連文献固有情報および関連情報を報知させる。このことにより、文献情報データベースの全ての文献情報を検索することなく、所定の文献情報と他の文献情報との関連について、簡単なデータ構造で容易に迅速な検索が容易に得られ、利用の拡大が容易に図れる。
【００２４】
また、本発明の工業所有権に関わる文献情報検索システムは、工業所有権に関わる文献情報が複数蓄積された文献情報データベースを用いて所定の文献情報と他の文献情報との関連について検索するための工業所有権に関わる文献情報検索システムであって、検索対象の前記所定の文献情報を特定する固有の情報である文献固有情報を有し前記所定の文献情報における関連する他の文献情報について検索を要求する検索要求情報を生成する検索要求手段と、検索結果を出力する出力手段と、を備えた端末装置と、前記端末装置がネットワークを介して送受信可能に接続され、前記文献情報データベースから前記文献情報を読み取る読取手段と、請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造を記憶する記憶手段と、前記ネットワークを介して前記端末装置から取得した前記検索要求情報の文献固有情報と同一の文献固有情報を有する前記記憶手段に記憶された工業所有権に関わる文献情報の検索データ構造の前記レコードを検索して取得する検索手段と、前記取得したレコードに基づいて前記文献固有情報とともに前記関連文献固有情報および前記関連情報を前記検索結果として前記ネットワークを介して前記端末装置の出力手段にて出力可能に報知する報知手段と、を備えたサーバ装置と、を具備したことを特徴とする。
【００２５】
この発明では、端末装置の検索要求手段にて生成され所定の文献情報における関連する他の文献情報について検索を要求する検索要求情報に設けられ検索対象の所定の文献情報を特定する固有の情報である文献固有情報に基づいて、請求項１ないし請求項１０のいずれかに記載の工業所有権に関わる文献情報の検索データ構造、または、請求項１１に記載の記録媒体に記録された工業所有権に関わる文献情報の検索データ構造における同一の文献固有情報を有したレコードを検出手段にて検出して取得し、この取得したレコードに基づいて報知手段により文献固有情報、関連文献固有情報および関連情報を検索結果として端末装置の出力手段にて出力可能に報知させる。このことにより、文献情報データベースの全ての文献情報を検索することなく、所定の文献情報と他の文献情報との関連について、簡単なデータ構造で容易に迅速な検索が容易に得られるとともに、文献情報の検索データ構造を端末装置に設ける必要がなく、検索もサーバ装置にて実施するので、簡単な端末装置の構成でも、文献情報の関連に関する検索が容易に得られ、利用の拡大が容易に図れる。
【００２６】
さらに、本発明の工業所有権に関わる文献情報検索システムは、工業所有権に関わる文献情報が複数蓄積された文献情報データベースを用いて所定の文献情報と他の文献情報との関連について検索するための工業所有権に関わる文献情報検索システムであって、検索対象の前記所定の文献情報を特定する固有の情報である文献固有情報を有し前記所定の文献情報における関連する他の文献情報について検索を要求する検索要求情報を生成する検索要求手段と、検索結果を出力する出力手段と、を備えた端末装置と、前記端末装置がネットワークを介して送受信可能に接続され、前記文献情報データベースから前記文献情報を読み取る読取手段と、前記ネットワークを介して前記端末装置から取得した前記検索要求情報の文献固有情報に基づいて前記読取手段にて前記文献情報データベースから前記所定の文献情報に関連する他の文献情報を特定する固有の情報である関連文献固有情報、および、前記所定の文献情報および前記他の文献情報の関連に関する関連情報を互いに関連付けて１つのレコードとして検索して取得する検索手段と、前記取得したレコードに基づいて前記文献固有情報とともに前記関連文献固有情報および前記関連情報を前記検索結果として前記ネットワークを介して前記端末装置の出力手段にて出力可能に報知する報知手段と、を備えたサーバ装置と、を具備したことを特徴とする。
【００２７】
この発明では、端末装置の検索要求手段にて生成され所定の文献情報における関連する他の文献情報について検索を要求する検索要求情報に設けられ検索対象の所定の文献情報を特定する固有の情報である文献固有情報に基づいて、読取手段にて文献情報データベースから所定の文献情報に関連する他の文献情報を特定する固有の情報である関連文献固有情報、および、所定の文献情報および他の文献情報の関連に関する関連情報を互いに関連付けて１つのレコードとして検索手段にて検索して取得し、この取得したレコードに基づいて報知手段により文献固有情報、関連文献固有情報および関連情報を検索結果として端末装置の出力手段にて出力可能に報知させる。このことにより、文献情報データベースの全ての文献情報を検索することなく、所定の文献情報と他の文献情報との関連について、簡単なデータ構造で容易に迅速な検索が容易に得られるとともに、文献情報の検索データ構造を端末装置に設ける必要がなく、検索もサーバ装置にて実施するので、簡単な端末装置の構成でも、文献情報の関連に関する検索が容易に得られ、利用の拡大が容易に図れる。
【００２８】
また、本発明の工業所有権に関わる文献情報検索方法は、工業所有権に関わる文献情報が複数蓄積された文献情報データベースを用いて演算手段により所定の文献情報と他の文献情報との関連について検索するための工業所有権に関わる文献情報検索方法であって、前記演算手段は、検索対象の前記所定の文献情報を特定する固有の情報である文献固有情報を取得し、この取得した文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造の前記レコードを検索して取得し、この取得した前記レコードに基づいて前記文献固有情報とともに前記関連文献固有情報と前記関連情報とを報知することを特徴とする。
【００２９】
この発明では、請求項１２に記載の工業所有権に関わる文献情報検索装置の動作を、演算手段により実施する方法に展開したもので、演算手段により、検索対象の所定の文献情報を特定する固有の情報である文献固有情報を取得し、この取得した文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体から読み取られる工業所有権に関わる文献情報の検索データ構造のレコードを検索して取得し、この取得したレコードに基づいて文献固有情報とともに関連文献固有情報と関連情報とを報知する。このことにより、請求項１２に記載の発明と同様の作用効果を奏する。
【００３０】
さらに、本発明の工業所有権に関わる文献情報検索方法は、工業所有権に関わる文献情報が複数蓄積された文献情報データベースを用いて演算手段により所定の文献情報と他の文献情報との関連について検索するための工業所有権に関わる文献情報検索方法であって、前記演算手段は、検索対象の前記所定の文献情報を特定する固有の情報である文献固有情報を取得し、この取得した文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして検索して取得し、この取得した前記レコードに基づいて前記文献固有情報、前記関連文献固有情報および前記関連情報を報知することを特徴とする。
【００３１】
この発明は、請求項１３に記載の工業所有権に関わる文献情報検索装置の動作を、演算手段により実施する方法に展開したもので、演算手段により、検索対象の文献固有情報に基づいて文献情報データベースから所定の文献情報に関連する他の文献情報を特定する固有の情報である関連文献固有情報と、所定の文献情報および他の文献情報の関連に関する関連情報とを互いに関連付けて１つのレコードとして検索して取得し、この取得したレコードに基づいて文献固有情報、関連文献固有情報および関連情報を報知する。このことにより、請求項１３に記載の発明と同様の作用効果を奏する。
【００３２】
また、本発明の工業所有権に関わる文献情報検索方法は、端末装置からのネットワークを介した要求に基づいて工業所有権に関わる文献情報が複数蓄積された文献情報データベースを用いて所定の文献情報と他の文献情報との関連についてサーバ装置にて検索して前記ネットワークを介して前記端末装置に報知する工業所有権に関わる文献情報検索方法であって、前記サーバ装置は、前記端末装置から前記ネットワークを介して検索対象の前記所定の文献情報を特定する固有の情報である文献固有情報を有し前記所定の文献情報における関連する他の文献情報について検索を要求する検索要求情報を取得し、この取得した検索要求情報の文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造を記録した記録媒体から読み取られる前記工業所有権に関わる文献情報の検索データ構造の前記レコードを検索して取得し、この取得した前記レコードに基づいて前記文献固有情報とともに前記関連文献固有情報および前記関連情報を前記ネットワークを介して前記端末装置へ検索結果として認識可能に出力して報知することを特徴とする。
【００３３】
この発明は、請求項１４に記載の工業所有権に関わる文献情報検索システムの動作を、演算手段により実施する方法に展開したもので、サーバ装置により、端末装置からネットワークを介して検索対象の所定の文献情報を特定する固有の情報である文献固有情報を有し所定の文献情報における関連する他の文献情報について検索を要求する検索要求情報を取得すると、検索要求情報の文献固有情報と同一の文献固有情報を有する請求項１ないし請求項１０のいずれかに記載の工業所有権に関わる文献情報の検索データ構造、または、請求項１１に記載の工業所有権に関わる文献情報の検索データ構造のレコードを検索して取得し、この取得したレコードに基づいて文献固有情報とともに関連文献固有情報および関連情報を端末装置へネットワークを介して検索結果として認識して出力可能に出力して報知する。このことにより、請求項１４に記載発明と同様の作用効果を奏する。
【００３４】
さらに、本発明の工業所有権に関わる文献情報検索方法は、端末装置からのネットワークを介した要求に基づいて工業所有権に関わる文献情報が複数蓄積された文献情報データベースを用いて所定の文献情報と他の文献情報との関連についてサーバ装置にて検索して前記ネットワークを介して前記端末装置に報知する工業所有権に関わる文献情報検索方法であって、前記サーバ装置は、前記端末装置から前記ネットワークを介して検索対象の前記所定の文献情報を特定する固有の情報である文献固有情報を有し前記所定の文献情報における関連する他の文献情報について検索を要求する検索要求情報を取得し、この取得した検索要求情報の文献固有情報に基づいて前記文献情報データベースから前記所定の文献情報に関連する前記他の文献情報を特定する固有の情報である関連文献固有情報と、前記所定の文献情報および前記他の文献情報の関連に関する関連情報とを互いに関連付けて１つのレコードとして取得し、この取得した前記レコードに基づいて前記文献固有情報、前記関連文献固有情報および前記関連情報を前記ネットワークを介して前記端末装置へ検索結果として認識可能に出力して報知することを特徴とする。
【００３５】
この発明は、請求項１５に記載の工業所有権に関わる文献情報検索システムの動作を、演算手段により実施する方法に展開したもので、サーバ装置により、端末装置からネットワークを介して検索対象の所定の文献情報を特定する固有の情報である文献固有情報を有し所定の文献情報における関連する他の文献情報について検索を要求する検索要求情報を取得すると、この検索要求情報の文献固有情報に基づいて文献情報データベースから所定の文献情報に関連する他の文献情報について検索を要求する検索要求情報を取得し、この取得した検索要求情報の文献固有情報に基づいて文献情報データベースから所定の文献情報に関連する他の文献情報を特定する固有の情報である関連文献固有情報と、所定の文献情報および関連情報を端末装置へネットワークを介して検索結果として認識して出力可能に出力して報知する。このことにより、請求項１５に記載の発明と同様の作用効果を奏する。
【００３６】
そして、本発明の工業所有権に関わる文献検索プログラムは、請求項１６ないし請求項１９のいずれかに記載の工業所有権に関わる文献情報検索方法を演算手段に実行させることを特徴とする。
【００３７】
この発明では、例えば汎用のコンピュータなどを演算手段として利用しインストールすることにより請求項１６ないし請求項１９に記載のいずれかに記載の工業所有権に関わる文献情報検索方法が演算手段に実行されるので、本発明の利用促進が大幅に図れる。
【００３８】
また、本発明の工業所有権に関わる文献検索プログラムを記録した記録媒体は、請求項２０に記載の工業所有権に関わる文献検索プログラムが演算手段にて読み取り可能に記録されたことを特徴とする。
【００３９】
この発明では、請求項１６ないし請求項１９のいずれかに記載の工業所有権に関わる文献情報検索方法を実行させるための請求項２０に記載の工業所有権に関わる文献検索プログラムを記録媒体に記録するので、工業所有権に関わる文献検索プログラムの取扱が容易で、本発明の利用促進が大幅に図れる。
【００４０】
そして、本発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含むものである。
【発明を実施するための最良の形態】
【００４１】
〔文献情報検索システムの構成〕
以下、本発明の一実施の形態に係る文献情報検索システムの構成について図面に基づいて説明する。本実施の形態では、工業所有権として特許、実用新案および意匠に関わる文献情報について検索するための構成について例示するが、その他、例えば商標など、工業所有権に関わる他のいずれの文献情報についても適用できる。図１は、本実施の形態における文献情報検索システムの概略構成を示す概念図である。図２は、文献情報検索システムを構成する端末装置の概略構成を示すブロック図である。図３は、文献情報検索システムを構成するサーバ装置の概略構成を示すブロック図である。図４は、ファミリ関連情報のテーブルデータであるデータ構造を示す模式図である。図５、図７、図９、図１１、図１３、図１５は、所定の文献情報におけるファミリ関連を示す概念図である。図６は、図５に示すファミリ関連情報のテーブルデータであるデータ構造を示す模式図である。図８は、図７に示すファミリ関連情報のテーブルデータであるデータ構造を示す模式図である。図１０は、図９に示すファミリ関連情報のテーブルデータであるデータ構造を示す模式図である。図１２は、図１１に示すファミリ関連情報のテーブルデータであるデータ構造を示す模式図である。図１４は、図１３に示すファミリ関連情報のテーブルデータであるデータ構造を示す模式図である。図１６は、図１５に示すファミリ関連情報のテーブルデータであるデータ構造を示す模式図である。図１７は、引用関連情報のテーブルデータであるデータ構造を示す模式図である。図１８は、所定の文献情報における引用関連を示す概念図である。図１９は、図１８に示す引用関連情報のテーブルデータであるデータ構造を示す模式図である。図２０は、図８に示すファミリ関連情報のテーブルデータに基づいた検索結果情報のテーブルデータのデータ構造を示す模式図である。図２１は、図１０に示すファミリ関連情報のテーブルデータに基づいた検索結果情報のテーブルデータのデータ構造を示す模式図である。図２２は、図１２に示すファミリ関連情報のテーブルデータに基づいた検索結果情報のテーブルデータのデータ構造を示す模式図である。図２３は、図１４に示すファミリ関連情報のテーブルデータに基づいた検索結果情報のテーブルデータのデータ構造を示す模式図である。図２４は、図１６に示すファミリ関連情報のテーブルデータに基づいた検索結果情報のテーブルデータのデータ構造を示す模式図である。
【００４２】
図１において、１００は文献情報検索システムで、この文献情報検索システム１００は、例えば特許、実用新案および意匠などの工業所有権に関わる文献に関する文献情報を検索するためのシステムである。この文献情報検索システム１００は、端末装置２００と、この端末装置２００にネットワーク１１０を介して各種情報を送受信可能に接続される文献情報検索装置としても機能するサーバ装置３００と、を備えている。
【００４３】
ここで、ネットワーク１１０としては、サーバ装置３００と端末装置２００との間を、各種データを送受信可能に接続する。このネットワーク１１０は、ＴＣＰ／ＩＰ（Transmission Control Protocol/Internet Protocol）などの汎用のプロトコルに基づくインターネット、ＬＡＮ（Local Area Network）などのイントラネット、無線媒体により情報が送受信可能な複数の基地局がネットワークを構成する通信回線網や放送網などのネットワーク、さらには、データを直接送受信するための媒体となる無線媒体自体など、データを送受信させるいずれの構成が利用できる。ここで、無線媒体としては、電波、光、音波、電磁波などのいずれの媒体をも適用できる。
【００４４】
端末装置２００は、例えばパーソナルコンピュータやオフィスコンピュータなどが例示できる。そして、端末装置２００は、例えば図２に示すように、端末通信手段２１０と、端末入力手段２２０と、出力手段としての端末表示手段２３０と、端末記憶手段２４０と、端末処理手段２５０と、を備えている。
【００４５】
端末通信手段２１０は、ネットワーク１１０を介してサーバ装置３００に接続される。この端末通信手段２１０は、ネットワーク１１０を介してサーバ装置３００から端末信号を受信可能で、この端末信号の取得によりあらかじめ設定されている入力インターフェース処理を実施し、処理端末信号として端末処理手段２５０に出力する。また、端末通信手段２１０は、端末処理手段２５０から処理端末信号が入力可能で、この入力される処理端末信号の取得によりあらかじめ設定されている出力インターフェース処理を実施し、端末信号としてネットワーク１１０を介してサーバ装置３００に送信する。
【００４６】
端末入力手段２２０は、例えばキーボードやマウスなどで、検索を実施する利用者により入力操作される図示しない各種操作ボタンや操作つまみなどを有している。これら操作ボタンや操作つまみなどの入力操作としては、端末装置２００の動作内容を設定する各種動作設定項目の入力操作の他、文献情報を検索するための条件項目の入力操作などである。そして、端末入力手段２２０は、入力操作に対応した所定の信号を端末処理手段２５０へ適宜出力して設定させる。なお、この端末入力手段２２０としては、操作ボタンや操作つまみなどの入力操作に限らず、例えば端末表示手段２３０に設けられたタッチパネルによる入力操作や、音声による入力操作など、各種入力事項を設定入力可能ないずれの構成が適用できる。
【００４７】
端末表示手段２３０は、端末処理手段２５０にて制御され端末処理手段２５０からの画像データを画面表示させる。画像データとしては、例えば文献情報に関する各種検索のための条件項目の入力を促す画面表示、検索した文献情報に関する情報を表示する画面表示などの他、端末装置２００の動作内容や他のアプリケーションソフトウェアに関する画像データなど、各種画像データが表示可能である。この端末表示手段２３０としては、種々のディスプレイが挙げられ、例えば液晶表示パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００４８】
端末記憶手段２４０は、ネットワーク１１０を介してサーバ装置３００から取得した各種情報や、端末入力手段２２０で入力操作される入力事項の他、外部から取得した各種情報をも適宜記憶する。また、端末記憶手段２４０には、端末装置２００全体を動作制御するＯＳ（Operating System）上に展開される各種プログラムなどを記憶する。なお、端末記憶手段２４０としては、ＨＤ（Hard Disk）や光ディスク、メモリなどの記録媒体に読み出し可能に記憶するドライブやドライバなどを備えた構成などが例示できる。
【００４９】
端末処理手段２５０は、図示しない各種入出力ポート、例えば端末通信手段２１０が接続される通信制御ポート、端末入力手段２２０が接続されるキー入力ポート、端末表示手段２３０が接続される表示部制御ポート、印刷出力する図示しない出力手段としての印刷装置が接続可能な印刷制御ポート、端末記憶手段２４０が接続される記憶ポートなどを有する。そして、端末処理手段２５０は、各種プログラムとして、検索対象設定手段２５１と、検索要求手段２５２と、検索結果取得手段２５３と、出力制御手段２５４と、などを備えている。
【００５０】
検索対象設定手段２５１は、端末入力手段２２０による入力操作にて入力された情報に基づいて、検索対象の文献情報を設定する。具体的には、所定の入力操作にて端末入力手段２２０から文献情報を特定する固有の情報である文献固有情報としての出願番号に対応した信号が出力され、この出力される出願番号に対応した信号に基づいて検索対象の文献固有情報を設定する。
【００５１】
検索要求手段２５２は、端末入力手段２２０による入力操作にて入力された情報に基づいて、検索対象設定手段２５１にて設定した文献固有情報に対応する所定の文献情報について他の文献情報との関連に関する検索の実行をサーバ装置３００に要求する旨の検索要求情報を生成する。すなわち、検索要求情報には、検索対象の所定の文献情報に関する文献固有情報と、この所定の文献情報を検索する条件である検索条件情報、検索を要求する利用者や端末装置２００を特定する顧客情報などを有した情報として生成される。そして、検索要求手段２５２は、生成した検索要求情報を端末通信手段２１０によりネットワーク１１０を介してサーバ装置３００へ送信する。
【００５２】
検索結果取得手段２５３は、ネットワーク１１０を介して端末通信手段２１０によりサーバ装置３００から取得した検索結果情報を取得する。この取得した検索結果情報は、端末記憶手段２４０や図示しないメモリなどに適宜記憶される。
【００５３】
出力制御手段２５４は、端末入力手段２２０による入力操作にて設定された出力状況に基づいて、検索結果取得手段２５３にて取得した検索結果情報を適宜処理し、端末表示手段２３０で表示させたり、図示しない接続された印刷装置にて印刷出力させたりする検索結果情報の出力制御をする。
【００５４】
サーバ装置３００は、ネットワーク１１０を介して端末装置２００と各種情報の送受信が可能となっている。このサーバ装置３００は、例えば図３に示すように、サーバ通信手段３１０と、サーバ入力手段３２０と、サーバ表示手段３３０と、読取手段としてのサーバ読取手段３４０と、記憶手段として機能するサーバ記憶手段３５０と、サーバ処理手段３６０と、などを備えている。
【００５５】
サーバ通信手段３１０は、ネットワーク１１０を介して入力されるサーバ信号に対してあらかじめ設定されている入力インターフェース処理を実行し、処理サーバ信号としてサーバ処理手段３６０へ出力する。また、サーバ通信手段３１０は、サーバ処理手段３６０から端末装置２００に対して送信すべき処理サーバ信号が入力されると、入力された処理サーバ信号に対してあらかじめ設定されている出力インターフェース処理を実行し、サーバ信号としてネットワーク１１０を介して端末装置２００へ出力する。なお、サーバ信号は、処理サーバ信号に記載された情報に基づいて、適宜所定の端末装置２００のみに出力させたり、ネットワーク１１０を介して接続される全ての端末装置２００に出力させたりすることも可能である。
【００５６】
サーバ入力手段３２０は、例えば端末入力手段２２０と同様に、サーバ管理者などにて入力操作される図示しない各種操作ボタンや操作つまみなどを有している。これら操作ボタンや操作つまみなどの入力操作は、サーバ装置３００の動作内容の設定や、サーバ記憶手段３５０に記憶する情報の設定入力、サーバ記憶手段３５０に記憶された情報の更新など、各種の設定事項である。そして、サーバ入力手段３２０は、設定事項の入力操作により、設定事項に対応する信号をサーバ処理手段３６０へ適宜出力して設定入力させる。なお、入力操作としては、端末入力手段２２０と同様に、操作ボタンや操作つまみなどの操作に限られない。
【００５７】
サーバ表示手段３３０は、例えば端末表示手段２３０と同様に、各種表示装置が用いられる。このサーバ表示手段３３０は、サーバ処理手段３６０に接続され、サーバ処理手段３６０の制御によりこのサーバ処理手段３６０から出力される画像データを適宜表示する。
【００５８】
サーバ読取手段３４０は、例えば工業所有権に関する文献情報が複数蓄積すなわち記録された文献情報データベースから前記文献情報を読み取る。具体的には、サーバ読取手段３４０は、工業所有権に関する文献情報が複数記録された図示しない文献情報データベースとしてのＨＤ（Hard Disk）や光ディスク、メモリなどの記録媒体から文献情報を適宜読み取るドライブやドライバなどを備えた構成などである。
【００５９】
サーバ記憶手段３５０は、文献情報を記憶するとともに、文献情報の関連性に関する関連情報を記憶する。また、サーバ記憶手段３５０は、サーバ装置３００全体および文献情報検索システム１００全体を動作制御するＯＳ上に展開される各種プログラムなどを記憶している。さらに、サーバ記憶手段３５０は、端末装置２００などから受信した各種情報を適宜記憶するとともに、サーバ入力手段３２０にて入力された各種情報を適宜記憶する。具体的には、サーバ記憶手段３５０は、複数の記憶領域、例えばファミリ関連情報データベース３５１と、引用関連情報データベース３５２と、などを備えている。
【００６０】
ファミリ関連情報データベース３５１は、文献情報に関連する他の文献情報とのファミリ関連、例えば変更や分割、優先権主張関係、補正却下による新出願、併合や追加など、他の文献情報との関連に関する情報を複数記憶するテーブル構造である。具体的には、図４に示すように、検索対象の文献情報に関する各種項目と、この検索対象の文献情報に関連する他の文献情報に関する各種項目とが１つのレコードとして複数記憶するテーブル構造のデータベースである。検索対象の文献情報に関する各種項目としては、例えば図４に示すように、検索対象の文献情報の種別である工業所有権についての特許、実用新案、意匠などの四法区分に関する項目、その文献情報の出願番号項目、その文献情報の通常、追加、併合、分割、変更、補正却下による新出願かなどの出願種別項目、基準日すなわち優先権日や原出願日あるいは出願日のうちで最も古い日付に関する基準日項目、出願番号の有無についてのフラグ情報項目などである。また、関連する他の文献情報に関する各種項目としては、検索対象の文献情報の例えば原出願、具体的には直前の出願である文献情報に関するもので、原出願の四法区分に関する項目、その出願番号項目、関連する出願種別項目、原出願登録番号項目などである。
【００６１】
そして、各項目についてのデータ形態としては、図４に示す形態となっている。すなわち、四法区分に関する項目については、例えば特許であれば「Ｐ」、実用新案であれば「Ｕ」、意匠であれば「Ｄ」の１桁の文字データである。出願番号項目および原出願の出願番号項目については、例えば四法区分に関する項目の文字データを含むエンコードされた１０桁の出願番号の数値データである。なお、原出願の出願番号については、不明の場合は例えば「−９」、存在しない場合には空データとする。基準日項目については、例えば西暦、月、日を一連に８桁の数値で表される数値データで、優先権日、原出願日あるいは出願日のうちで最も古い日付を数値データとして設定入力される。さらに、存在しない場合には空データとする。フラグ情報項目については、例えば「０」が出願番号がない旨、「１」であれば出願番号がある旨の１桁の数値データである。原出願の四法区分に関する項目については、例えば特許であれば「Ｐ」、実用新案であれば「Ｕ」、意匠であれば「Ｄ」、不明であれば「＠」の１桁の文字データである。出願種別項目および関連する出願種別項目については、例えば通常出願であれば「００００」、追加であれば「０００１」、併合であれば「０００２」、分割であれば「０００４」、変更であれば「０００８」、補正却下による新出願であれば「００１０」、国内優先権主張出願であれば「２０００」など１６進法で表される４桁のコード番号である数値データである。なお、出願種別項目および関連する出願種別項目については、複数の種別を持つ場合、論理和をとった値を１６新法としてコード番号とする。さらに、不明の場合は例えば「−９」、存在しない場合には空データとする。
【００６２】
より具体的には、例えば図５に示すファミリ関連である場合、図６に示すテーブル構造に構成される。この図５に示すファミリ関連は、１９９７年（平成９年）出願の出願番号２４４８号の実用新案登録出願が特許出願に変更され、さらに分割され、この分割した出願をさらに分割したものである。そして、例えば検索対象として２００２年特許願第７７３０４号の文献情報に関連する他の文献情報として、図６に示すテーブル構造のファミリ関連情報が検索されることとなる。また、図７に示すようなファミリ関連である場合には図８に示すようなテーブル構造に構成され、図９に示すようなファミリ関連である場合には図１０に示すようなテーブル構造に構成され、図１１に示すようなファミリ関連である場合には図１２に示すようなテーブル構造に構成され、図１３に示すようなファミリ関連である場合には図１４に示すようなテーブル構造に構成され、図１５に示すようなファミリ関連である場合には図１６に示すようなテーブル構造に構成される。
【００６３】
引用関連情報データベース３５２は、文献情報に関連する他の文献情報との引用関連、例えば検索対象の文献情報に引用された他の文献情報や、検索対象の文献情報が引用された他の文献情報について情報を複数記憶するテーブル構造である。具体的には、図１７に示すように、検索対象の文献情報に関する各種項目と、この検索対象の文献情報と引用関連のある他の文献情報に関する各種項目とが１つのレコードとして複数記憶するテーブル構造のデータベースである。検索対象の文献情報に関する各種項目としては、例えば図１７に示すように、検索対象の文献情報の出願番号項目、その文献の登録順序に関する項目、引用あるいは被引用の関係状況に関する項目などである。また、引用関連の他の文献情報に関する各種項目としては、引用している文献の出願か、公開か、公表か、再公表か、公告か、登録かなどの出願種別項目、引用文献として用いられる種別すなわち異議証拠か、異議採用証拠か、拒絶理由通知か、予備審査報告か、調査報告か、技術評価書かなどの種別項目、引用している文献情報の文献番号項目、引用文献と他の文献との引用あるいは被引用の関係状況に関する項目などである。
【００６４】
そして、各項目についてのデータ形態としては、図１７に示す形態となっている。すなわち、検索対象の文献情報の出願番号項目については、例えば四法区分に関する項目の文字データを含むエンコードされた１０桁の出願番号の数値データである。登録順序に関する項目については、詳細は後述するが、例えば文献固有情報における引用文献として登録された出現順である２桁の数値データである。引用・被引用関係項目については、所定の文献情報との引用あるいは被引用の関係状況を表す１桁の数値データで、「１」が引用・被引用の関係をもつ文献情報が１件のみである旨、「２」が引用・被引用の関係をもつ文献情報が２件以上ある旨を表す。なお、引用種別が異なっても同じ文献情報、および、対象の文献情報と引用文献情報の四法区分と出願番号が同じ場合であれば、１件として数える。
【００６５】
より具体的には、例えば図１８に示す引用関連である場合、図１９に示すテーブル構造で表される。この図１８に示す引用関連は、特願昭５３−１４６３００号については、特願昭５１−５３６５０号（特開昭５２−８７０６６号公報）および特願昭４６−４７８８７号（特開昭４８−１４１６５号公報）が拒絶理由通知で引用されているとともに、実願昭４５−２７６７号（実公昭４８−１３１８７号公報）が異議採用証拠として引用されている（引用関係）。また、この特願昭５３−１４６３００号は、拒絶理由通知で特願昭５７−６５７５号と特願昭５７−４１３０１号に対して引用されている（被引用関係）。一方、特願昭５７−４１３０１号については、異議採用証拠として特願平１２−１２３４０号（特開平１３−１９８４２０号公報）および特願平１３−２０７９７６号に対して引用され（被引用関係）で、特願昭４９−８３６４５号（特開昭５１−１１６５８号公報）、特願昭５３−１４６３００号（特開昭５５−７３２３６号公報）およびヨーロッパ特許のＥＰ４２２０４６１号が拒絶理由通知で引用されている（引用関係）。これらの引用関連が図１９に示すテーブル構造となる引用関連情報のテーブルデータとして構成される。
【００６６】
また、サーバ記憶手段３５０は、例えばサーバ読取手段３４０にて読み取った文献情報データベースの文献情報を記憶する領域である文献情報データベースや、読み取った文献情報データベースの文献情報に基づいて文献情報を特定する固有の情報である文献固有情報を記憶する領域である文献固有情報データベース、さらには文献情報の内容に関する文献内容情報を記憶する領域である文献内容情報データベースなどを設けてもよい。
【００６７】
具体的には、文献固有情報データベースは、各文献情報を特定する文献固有情報を１つのレコードとして複数記憶するテーブル構造に構成されている。この文献固有情報としては、例えば種別である特許か実用新案か意匠かなどを特定する種別情報、出願番号、公開番号、公表番号、再公表番号、出願種別である通常出願か追加か併合か分割か変更か補正却下による新出願かなどを特定する出願種別情報、出願人情報、発明者情報、国際分類情報、などである。
【００６８】
文献内容情報データベースは、各文献情報の例えば明細書データや要約書データさらには図面データなどの文献内容に関する文献内容情報をそれぞれ１つのレコードとして複数記憶するテーブル構造に構成されている。これら各文献内容情報は、それぞれ文献固有情報に関連付けられて記憶される。
【００６９】
その他、サーバ記憶手段３５０には、端末装置２００全体を動作制御するＯＳ（Operating System）上に展開される各種プログラムなどを記憶する。さらには、各種情報をも記憶可能である。
【００７０】
サーバ処理手段３６０は、図示しない各種入出力ポート、例えばサーバ通信手段３１０が接続される通信制御ポート、サーバ入力手段３２０が接続される入力ポート、サーバ表示手段３３０が接続される表示制御ポート、サーバ記憶手段３５０が接続される記憶ポートなどを有している。そして、サーバ処理手段３６０は、図３に示すように、サーバ記憶手段３５０に記憶された各種プログラムとして、ファミリ関連情報作成手段３６１と、引用関連情報作成手段３６２と、文献固有情報取得手段としての検索要求情報取得手段３６３と、検索手段３６４と、検索結果生成手段３６５と、報知手段３６６と、課金演算手段３６７と、決済手段３６８と、などを備えている。
【００７１】
ファミリ関連情報作成手段３６１は、例えばサーバ入力手段３２０によるファミリ関連情報を作成する旨の入力操作によりサーバ読取手段３４０を適宜動作させ、図示しない文献情報データベースに格納された文献情報を適宜読み取らせ、図４に示すファミリ関連情報を各文献情報毎に１つのレコードとして作成する。そして、作成したファミリ関連情報をファミリ関連情報データベース３５１に記憶させる。
【００７２】
引用関連情報データベース３５２は、例えばサーバ入力手段３２０による引用関連情報を作成する旨の入力操作によりサーバ読取手段３４０を適宜動作させ、文献情報データベースに格納された文献情報を適宜読み取らせ、図１７に示す引用関連情報を各文献情報毎に１つのレコードとして作成する。そして、作成した引用関連情報を引用関連情報データベース３５２に記憶させる。
【００７３】
検索要求情報取得手段３６３は、サーバ通信手段３１０にてネットワーク１１０を介して端末装置２００から送信される検索要求情報を取得する。この取得した検索要求情報は、サーバ記憶手段３５０や図示しないメモリなどに適宜記憶されるとともに、検索手段３６４へ適宜出力される。
【００７４】
検索手段３６４は、検索要求情報取得手段３６３にて取得した検索要求情報に基づいて、サーバ記憶手段３５０に記憶された情報に基づいて、各種情報を検索する。この検索としては、ファミリ関連情報や引用関連情報などである。なお、端末装置２００からの検索要求情報に基づいて、文献固有情報や文献内容情報などを検索してもよい。そして、検索手段３６４は、検出した文献情報に関する情報を適宜取得し、サーバ記憶手段３５０や図示しないメモリなどに適宜記憶するとともに、検索結果生成手段３６５へ出力する。なお、検出できなかった場合には、検出できなかった旨の信号を検索結果生成手段３６５へ出力する。
【００７５】
検索結果生成手段３６５は、検索手段３６４で取得した検出した文献情報に関する情報すなわちファミリ関連情報や引用関連情報に基づいて、端末装置２００へ報知するために適宜処理して検索結果情報を生成する。具体的には、例えば図８に示すファミリ関連情報のテーブルデータが検出された場合には図２０に示すようなテーブルデータの検索結果情報に処理し、図１０に示すファミリ関連情報のテーブルデータが検出された場合には図２１に示すようにテーブルデータの検索結果情報に処理し、図１２に示すファミリ関連情報のテーブルデータが検出された場合には図２２に示すようなテーブルデータの検索結果情報に処理し、図１４に示すファミリ関連情報のテーブルデータが検出された場合には図２３に示すようなテーブルデータの検出結果情報に処理し、図１６に示すファミリ関連情報のテーブルデータが検出された場合には図２４に示すようなテーブルデータの検出結果情報に処理される。引用関連情報の場合にも同様に処理される。また、検出できなかった旨の信号を取得した場合には、その旨を端末装置２００で出力可能な所定のフォームの検索結果情報を生成、例えばサーバ記憶手段３５０にあらかじめ記憶された所定のフォームを読み出す。そして、生成した検索結果情報は、サーバ記憶手段３５０や図示しないメモリなどに適宜記憶されるとともに、報知手段３６６へ適宜出力させる。
【００７６】
報知手段３６６は、検索結果生成手段３６５により生成した検索結果情報を取得して適宜処理し、サーバ通信手段３１０によりネットワーク１１０を介して端末装置２００へ送信する。このことにより、端末装置２００は、検索結果取得手段２５３にて取得した検索結果情報を適宜処理し、端末表示手段２３０で表示させたり、図示しない接続された印刷装置にて印刷出力させたりし、検索結果が端末装置２００に報知される。
【００７７】
課金演算手段３６７は、検索要求情報や検索手段３６４にて検索し報知手段３６６にて送信する検索結果情報などに基づいて、検索要求をした利用者に対して対価を演算する。この対価の演算としては、例えば端末装置２００がネットワーク１１０を介してサーバ装置３００に接続した時間、検索を実行するための検索料金、検索結果の情報量に対応する回答出力料金などに基づいて対価を演算する。なお、この対価の額は、検索結果情報とともに報知手段３６６により端末装置２００へ送信される。
【００７８】
決済手段３６８は、課金演算手段３６７にて演算した対価を回収するための処理をする。例えば、サーバ記憶手段３５０にあらかじめ記憶されている端末装置２００を用いて利用する利用者を特定する顧客情報などに基づいて、請求書を発行したり、例えばネットワーク１１０を介して各金融機関が管理する付加価値通信網(Value-Added Network:ＶＡＮ)であるいわゆる金融ＶＡＮに構築されたファームバンキング（Firm Banking:ＦＢ）を利用して決済処理したり、決済処理する旨をサーバ表示手段３３０に表示させて管理者に決済処理を促す案内を報知するなどの処理をする。
【００７９】
〔文献情報検索システムの動作〕
次に、上述した文献情報検索システムにおける所定の文献情報に関連する他の文献情報を検索する検索処理の動作について図面を参照して説明する。
【００８０】
（関連情報の生成処理）
まず、サーバ装置３００にファミリ関連情報および引用関連情報などを生成する生成処理について図面を参照して説明する。図２５は、引用関連情報のテーブルデータを作成する際の同一の引用文献情報を排除する動作を説明するためのテーブルデータを示す説明図で、（Ａ）は引用関連の検出した文献情報のテーブルデータを示す概念図で、（Ｂ）は同一の引用文献情報を排除した文献情報のテーブルデータを示す模式図である。図２６は、図６に示すファミリ関連情報のテーブルデータを端末表示手段にて表示した表示形態を示す模式図である。図２７は、所定の引用関連を端末表示手段にて表示した表示形態を示す模式図である。図２８は、検索要求対象の文献情報がない場合の端末表示手段の表示形態を示す模式図である。図２９は、所定の文献情報における引用関連がない場合の端末表示手段の表示形態を示す模式図である。
【００８１】
あらかじめ、サーバ装置３００にサーバ装置用のアプリケーションソフトウェアをインストールしておく。そして、アプリケーションソフトウェアを起動させ、サーバ入力手段３２０によるファミリ関連情報を作成する旨の入力操作により、サーバ処理手段３６０のファミリ関連情報作成手段３６１がサーバ読取手段３４０を適宜動作制御する。この動作制御により、サーバ読取手段３４０が文献情報データベースに格納された文献情報を適宜読み取り、この読み取った文献情報に基づいてファミリ関連情報作成手段３６１が図４に示すテーブルデータのファミリ関連情報を作成する。
【００８２】
具体的には、上述した例えば図５に示すようなファミリ関連を有する文献情報である場合、図６に示すような検索のための関連出願検索テーブルであるファミリ関連情報が作成される。すなわち、平成９年（１９９７年）実用新案登録願第２４４８号を原出願として平成９年特許願第１４７３３６号に出願変更されている（関連その１）。この平成９年特許願第１４７３３６号を原出願として平成９年特許願第１４７３３７号が分割出願されている（関連その２）。この平成９年特許願第１４７３３７号を原出願として特願２００２−７７３０４号が分割出願されている（関連その３）。これらの関連がそれぞれ１つのレコードとして複数、すなわち図６に示すように３つの関連に対応した３つのレコードが１つのファミリ関連情報のテーブルデータとして記録される。このテーブルデータが他のファミリ関連のテーブルデータと合わせてファミリ関連情報データベース３５１に記録される。このことにより、ファミリ関連情報データベース３５１には、複数のファミリ関連のテーブルデータが蓄積される。なお、新たにファミリ関連が生じた場合、ファミリ関連情報作成手段３６１はサーバ入力手段３２０による入力操作により、対応するテーブルデータにそのレコードを追加する更新処理をする。
【００８３】
ファミリ関連の他の具体例としては、例えば図７に示すようなファミリ関連の場合、ファミリ関連情報作成手段３６１により図８に示すようなテーブルデータとなるファミリ関連情報が作成され、例えば図９に示すようなファミリ関連の場合には図１０に示すようなテーブルデータとなるファミリ関連情報が作成され、例えば図１１に示すようなファミリ関連の場合には図１２に示すようなテーブルデータとなるファミリ関連情報が作成され、例えば図１３に示すようなファミリ関連の場合には図１４に示すようなテーブルデータとなるファミリ関連情報が作成され、例えば図１５に示すようなファミリ関連の場合には図１６に示すようなテーブルデータとなるファミリ関連情報が作成される。
【００８４】
また、サーバ入力手段３２０による引用関連情報を作成する旨の入力操作により、サーバ処理手段３６０の引用関連情報作成手段３６２がサーバ読取手段３４０を適宜動作制御する。この動作制御により、サーバ読取手段３４０が文献情報データベースに格納された文献情報を適宜読み取り、この読み取った文献情報に基づいて引用関連情報作成手段３６２が図１７に示すテーブルデータの引用関連情報を作成する。
【００８５】
具体的には、上述した例えば図１８に示すような引用関連を有する文献情報である場合、図１９に示すような検索のための関連出願検索テーブルである引用関連情報が作成される。すなわち、上述したように、特願昭５３−１４６３００号については、特願昭５１−５３６５０号（特開昭５２−８７０６６号公報）および特願昭４６−４７８８７号（特開昭４８−１４１６５号公報）が拒絶理由通知で引用されているとともに、実願昭４５−２７６７号（実公昭４８−１３１８７号公報）が異議採用証拠として引用されている（引用関係）。また、この特願昭５３−１４６３００号は、拒絶理由通知で特願昭５７−６５７５号と特願昭５７−４１３０１号に対して引用されている（被引用関係）。一方、特願昭５７−４１３０１号については、異議採用証拠として特願平１２−１２３４０号（特開平１３−１９８４２０号公報）および特願平１３−２０７９７６号に対して引用され（被引用関係）、特願昭４９−８３６４５号（特開昭５１−１１６５８号公報）、特願昭５３−１４６３００号（特開昭５５−７３２３６号公報）およびヨーロッパ特許のＥＰ４２２０４６１号が拒絶理由通知で引用されている（引用関係）。これら引用あるいは被引用関連となる対をなす文献情報で関連付けられてそれぞれ１つのレコードとして複数、すなわち図１９に示すように、１０の引用関連に対応した１０のレコードが１つの引用関連情報のテーブルデータとして記録される。このテーブルデータが他の引用関連のテーブルデータと合わせて引用関連情報データベース３５２に記録される。このことにより、引用関連情報データベース３５２には、複数の引用関連のテーブルデータが蓄積される。
【００８６】
このレコードの作成の際、引用関連情報作成手段３６２は、例えば図２５（Ａ）に示すように、引用関連のある文献情報が文献情報データベースから検出された場合、図２５（Ｂ）に示すように、文献情報の引用内容である種別・引用関係の文献情報の公報番号が重複するもののうち一方を削除して重複しないようにレコードを生成する。優先順位としては、例えば文献情報データベースの文献情報に含まれる出現順序番号の小さい方とする。そして、新たに引用関連が生じた場合、引用関連情報データベース３５２は、サーバ入力手段３２０による入力操作により、対応するテーブルデータにそのレコードを追加する更新処理をする。
【００８７】
（検索処理）
次に、上記文献情報検索システム１００による所定の文献情報における他の文献情報との関連について検索する検索処理について説明する。
【００８８】
あらかじめ、文献情報検索システム１００を利用するための端末装置用のアプリケーションソフトウェアを端末装置２００にインストールしておく。そして、端末装置２００でアプリケーションソフトウェアを起動させ、このアプリケーションソフトウェアに基づいてネットワーク１１０を介してサーバ装置３００に接続する。
【００８９】
この後、利用者がアプリケーションソフトウェアに基づいて端末表示手段２３０に表示される画面表示にしたがって、端末入力手段２２０を適宜入力操作し、検索対象の文献情報を特定する文献固有情報の出願番号を入力する。この入力操作により、端末処理手段２５０の検索対象設定手段２５１が、端末入力手段２２０からの入力操作に対応した信号に基づいて、検索対象の文献固有情報を設定する。さらに、利用者が画面表示にしたがって端末入力手段２２０を適宜入力操作することにより、端末処理手段２５０の検索要求手段２５２は、検索対象設定手段２５１にて設定した文献固有情報に対応する所定の文献情報について他の文献情報との関連に関する検索の実行をサーバ装置３００に要求する旨の検索要求情報を生成し、端末通信手段２１０を制御し、ネットワーク１１０を介して検索対象の文献固有情報を有する検索要求情報をサーバ装置３００へ送信する。
【００９０】
この端末装置２００から送信される検索要求情報は、サーバ通信手段３１０にて取得されて適宜処理され、サーバ処理手段３６０の検索要求情報取得手段３６３にて取得して認識する。そして、サーバ装置３００は、サーバ処理手段３６０の検索手段３６４により、検索要求情報の文献固有情報や検索条件情報などに基づいて、サーバ記憶手段３５０のファミリ関連情報データベース３５１のファミリ関連情報あるいは引用関連情報データベース３５２の引用関連情報を検索し、検索要求情報の文献固有情報を含むテーブルデータの有無を判断する。この検索により、検索手段３６４が所定のテーブルデータを検出すると、サーバ記憶手段３５０や図示しないメモリなどに適宜記憶するとともに、検索結果生成手段３６５へ出力する。
【００９１】
そして、検索結果生成手段３６５は、検索手段３６４で取得した検出したファミリ関連情報や引用関連情報、あるいは検出できなかった旨の信号に基づいて、端末装置２００へ報知するための所定のテーブルデータに処理して検索結果情報を生成する。そして、この生成した検索結果情報をサーバ記憶手段３５０や図示しないメモリなどに適宜記憶するとともに、報知手段３６６へ適宜出力する。
【００９２】
また、サーバ処理手段３６０の課金演算手段３６７により、例えば端末装置２００がネットワーク１１０を介してサーバ装置３００に接続した時間、検索を実行するための検索料金、検索結果の情報量に対応する回答出力料金など、検索要求情報取得手段３６３にて取得した検索要求情報や検索手段３６４にて検索し報知手段３６６にて送信する検索結果情報などに基づいて、検索要求をした利用者に対して対価を演算し、課金情報を生成する。そして、この生成した課金情報をサーバ記憶手段３５０や図示しないメモリなどに適宜記憶するとともに、報知手段３６６へ適宜出力する。
【００９３】
この後、報知手段３６６は、検索結果生成手段３６５により生成した検索結果情報および課金演算手段３６７により生成した課金情報などを適宜処理する。また、報知手段３６６は、検索要求情報に含まれる要求をする利用者や端末装置２００を特定する情報などにより送信先を特定する。そして、報知手段３６６は、サーバ通信手段３１０を制御し、ネットワーク１１０を介して特定した端末装置２００へ検索結果情報および課金情報などを送信する。
【００９４】
そして、サーバ装置３００から送信された検索結果情報および課金情報などを端末装置２００の端末通信手段２１０にて取得して適宜処理し、端末処理手段２５０の検索結果取得手段２５３にて取得して認識する。そして、端末装置２００は、出力制御手段２５４により、取得した各種情報を端末表示手段２３０で表示させたり、図示しない接続された印刷装置にて印刷出力させたりする出力処理をし、検索結果が利用者に対して報知される。
【００９５】
具体的には、例えば図５に示すファミリ関連で、検索対象が特願２００２−７７３０４号である場合には、図６に示すファミリ関連情報のテーブルデータにより、例えば図２６に示すようなコマンドモードによる表示形態にて端末表示手段２３０に表示、あるいは印刷出力される。また、引用関連情報のテーブルデータの場合は、例えば図２７に示すようなコマンドモードによる端末表示手段２３０に表示、あるいは印刷出力される。なお、引用関連がない場合には例えば図２８に示すようなコマンドモードで、検索対象がない場合には例えば図２９に示すようなコマンドモードで、表示あるいは印刷出力される。なお、表示あるいは印刷などによる出力形態としては、上述したようなコマンドモードに限らず、例えばウエッブブラウザによる画面表示で表示される所定の表示画面など、いずれの形態が適用できる。
【００９６】
〔実施の形態の作用効果〕
上述したように、上記実施の形態では、工業所有権に関わる文献情報が複数蓄積された文献情報データベースを用いて所定の文献情報と他の文献情報との関連について検索するために、文献情報データベースの文献情報に含まれ所定の文献情報を特定する固有の情報である文献固有情報と、文献情報データベースの文献情報に含まれ所定の文献情報に関連する他の文献情報を特定する固有の情報である関連文献固有情報と、所定の文献情報および他の文献情報の関連に関する関連情報と、が互いに関連付けられて１つのレコードとして報知可能に記録されたデータ構造のファミリ関連情報や引用関連情報のテーブルデータを用いる。このため、例えば分割や変更出願、国内優先など、関連するものが比較的に多く、また引用関係など権利の有効性の判断などに重要な関連となる工業所有権に関わる文献情報を、文献情報データベースの全ての文献情報を検索することなく、所定の文献情報と他の文献情報とのファミリ関連や引用関連などの関連について、簡単なデータ構造で検索結果を容易で迅速に得ることができる。したがって、工業所有権に関わる文献情報の運用が容易にできるとともに、良好な検索結果を得るためのデータ構造の構築や更新などのデータ管理も容易にでき、運用管理性を向上でき、利用の拡大も容易に図ることができる。
【００９７】
そして、関連情報に所定の文献情報における他の文献情報との引用関係に関する引用関係情報、すなわち引用・被引用関係種別や引用文献データ種別などの項目の情報を設けている。このため、所定の文献情報に引用された他の文献情報の他に、所定の引用情報が引用された他の文献情報についても簡単なデータ構造で検索結果が迅速に得られる検索処理が容易に得られる。
【００９８】
また、引用関係情報として、整理標準化データのコード番号としている。このため、工業所有権に関わる文献情報の管理として広く利用されている整理標準化データのコード番号を利用するので、文献情報を複数蓄積する文献情報データベースとの情報の互換が容易に得られ、文献情報データベースを用いた検索が簡単なデータ構造で迅速に得られる検索処理が容易に得られ、データ構造の構築や更新などのデータ管理も容易にでき、運用管理性を向上でき、利用の拡大を容易に図ることができる。
【００９９】
さらに、文献固有情報として所定の文献情報の出願番号に関する願番情報とし、関連文献固有情報として他の文献情報の出願番号に関する関連願番情報とし、関連情報として、他の文献情報における所定の文献情報が引用している公報番号に関する公報番号情報を有したデータ構造としている。このため、所定の文献情報と他の文献情報との相互の引用関係が双方の文献情報から検出することができ、実際に引用関係となる公報番号情報が合わせて報知されることとなり、検索結果を簡単なデータ構造で容易に認識することができる。
【０１００】
そして、関連情報として、他の文献情報における所定の文献情報が引用している内容に関する引用種別に関する引用種別情報を設けている。このため、引用している内容が、例えば異議証拠か拒絶理由かなどを容易に認識でき、検索結果を利用した工業所有権の有用な利用を容易に図ることができる。
【０１０１】
また、文献固有情報が所定の文献情報の出願番号に関する願番情報で、関連文献固有情報が所定の文献情報に対して原出願となる他の文献情報の出願番号に関する関連願番情報としている。このため、所定の文献情報と他の文献情報との例えば分割や変更、国内優先などの相互の出願形態の関係についての検索処理を簡単なデータ構造により容易で迅速に得ることができる。
【０１０２】
そして、関連情報として所定の文献情報における他の文献情報に対する出願形態に関する出願種別情報を設けている。このため、所定の文献情報と他の文献情報との関連性の内容が簡単なデータ構造により容易で迅速に得られる検索処理を容易に得ることができる。
【０１０３】
また、出願種別情報として、種別毎に異なる値の１６進数の数値データとし、さらに複数の種別である場合には論理和を取った値を１６進数として表される数値データとしている。このため、例えば工業所有権に関わる文献情報の管理として広く利用されている整理標準化データを利用することが容易にでき、文献情報を複数蓄積する文献情報データベースとの情報の互換が容易に得られ、文献情報データベースを用いた検索が簡単なデータ構造で迅速に得られる構成が容易に得られ、データ構造の構築や更新などのデータ管理も容易にでき、運用管理性を向上でき、利用の拡大を容易に図ることができる。
【０１０４】
さらに、出願種別情報として、整理標準化データのコード体系に準じた数値データとしている。このため、工業所有権に関わる文献情報の管理として広く利用されている整理標準化データの利用が容易にでき、文献情報を複数蓄積する文献情報データベースとの情報の互換が容易に得られ、文献情報データベースを用いた検索が簡単なデータ構造で迅速に得られる構成が容易に得られ、データ構造の構築や更新などのデータ管理も容易にでき、運用管理性を向上でき、利用の拡大を容易に図ることができる。
【０１０５】
そして、所定の文献情報または他の文献情報に関連するさらに他の文献情報を特定する固有の情報である第３の関連文献固有情報が、文献固有情報または関連文献固有情報と、所定の文献情報または他の文献情報との関連に関する関連情報とが互いに関連付けられ、所定の文献情報または他の文献情報とともに報知可能に１つのレコードとして他のレコードとともに記録したテーブルデータのデータ構造としている。このため、所定の文献情報および他の文献情報との関連とともに、これら所定の文献情報または他の文献情報に関連するさらに他の文献情報までもが合わせて報知されることとなり、より詳細な文献情報の関連を認識できる。したがって、さらに他の文献情報に関連する他の文献情報との関連についても報知させることも、さらに関連付けられた１つのレコードとして順次記録する構成とした簡単なデータ構造に変更、更新することで容易に得られ、より詳細な文献情報の関連が容易に検索できる。
【０１０６】
また、検索要求情報取得手段３６３にて取得した検索要求情報の検索対象の所定の文献情報を特定する固有の情報である文献固有情報に基づいて、文献情報データベースから所定の文献情報に関連する他の文献情報を特定する固有の情報である関連文献固有情報と、所定の文献情報および他の文献情報の関連に関する関連情報とを互いに関連付けて１つのレコードとして検索手段にて検索して取得、すなわち、取得した文献固有情報と同一の文献固有情報を有するレコードを有したファミリ関連情報や引用関連情報などのテーブルデータを検索して取得し、この取得したレコードを有したテーブルデータに基づいて報知手段３６６により文献固有情報、関連文献固有情報および関連情報を報知、すなわち検索結果情報としてテーブルデータの情報を報知させる。このため、文献情報データベースの全ての文献情報を検索することなく、所定の文献情報と他の文献情報とのファミリ関連や引用関連などの関連について、簡単なデータ構造で検索結果を容易で迅速に得ることができる。したがって、良好な検索結果を得るためのデータ構造の構築や更新などのデータ管理も容易にでき、運用管理性を向上でき、利用の拡大も容易に図ることができる。
【０１０７】
そして、ネットワーク１１０を介して接続する端末装置２００からの検索要求によりサーバ装置３００で検索して報知するシステム構成としている。このため、簡単な端末装置２００の構成でも、文献情報の関連に関する検索が容易にでき、利用の拡大を容易に図ることができる。さらには、サーバ装３００置にて統括的に容量の大きな情報を管理でき、データの更新などが容易で、運用管理性を容易に向上できる。したがって、携帯電話などの処理能力が比較的に小さいものを用いても容易に検索でき、利用の拡大が容易に図れる。
【０１０８】
そして、パーソナルコンピュータなどにプログラムとして検索処理が実行可能に構成している。このため、プログラムを組み込む、さらにはプログラムを記録した記録媒体を用いることで、上記処理が容易に得られ、利用の拡大が容易に図れる。
【０１０９】
〔実施形態の変形〕
なお、本発明は、上述した一実施の形態に限定されるものではなく、本発明の目的を達成できる範囲で以下に示される変形をも含むものである。
【０１１０】
例えば、システム構成として説明したが、１台のパーソナルコンピュータを用い、文献情報データベースである記録媒体から文献情報を適宜読み取ってファミリ関連情報や引用関連情報を作成して記憶させ、このパーソナルコンピュータを用いて検索処理する装置構成としたり、文献情報データベースをネットワーク１１０を介して読み取る構成としたり、端末装置２００にサーバ装置３００のサーバ処理手段３６０の構成を設け、ネットワーク１１０を介して文献情報データベースを読み取り、端末装置２００にファミリ関連情報や引用関連情報を作成して記憶させ、端末装置２００で検索処理したり、サーバ記憶手段３５０の構成をサーバ装置３００と切り離してネットワーク１１０を介して別のサーバ装置として構成したりするなど、いずれの形態とすることができる。
【０１１１】
そして、関連としてファミリ関連と引用関連とについて説明したが、いずれか一方のみ、あるいは他の関連などについても対象とすることができる。
【０１１２】
また、ファミリ関連や引用関連を作成してサーバ装置３００に格納して説明したが、別途作成されたファミリ関連や引用関連などを読み取って利用したり、読み取って記憶するなどしてもよい。
【０１１３】
そして、報知する形態としては、表示させる他、音声出力や印刷出力など、利用者が認識できるいずれの方法をも適用できる。そして、表示形態としては、コマンドモードによる表示の他、ウエッブブラウザによる画面表示にて表示される表示形態など、いずれの表示形態が利用できる。
【０１１４】
その他、本発明は、上述した一実施の形態および実施形態の変形のみに限ることなく、その他、本発明の目的を逸脱しない範囲で、例えばデータ構造を変更したり、データ構造の項目を設定したり、処理のための構成を変更するなど、様々な応用が可能である。
【産業上の利用可能性】
【０１１５】
本発明は、特許や実用新案、意匠、商標などの他、商号など広義の意味の工業所有権に関わる文献情報に関連する外国文献も含む他の文献情報を検索する構成に利用できる。また、文献情報としては、公報以外の刊行物などをも対象とすることができる。
【図面の簡単な説明】
【０１１６】
【図１】本発明の一実施の形態に係る文献情報検索システムの概略構成を示す概念図である。
【図２】前記一実施の形態における端末装置の概略構成を示すブロック図である。
【図３】前記一実施の形態におけるサーバ装置の概略構成を示すブロック図である。
【図４】前記一実施の形態におけるファミリ関連情報のテーブルデータであるデータ構造を示す模式図である。
【図５】前記一実施の形態における所定の文献情報におけるファミリ関連を示す概念図である。
【図６】図５に示すファミリ関連情報のテーブルデータであるデータ構造を示す模式図である。
【図７】前記一実施の形態における所定の文献情報におけるファミリ関連を示す概念図である。
【図８】図７に示すファミリ関連情報のテーブルデータであるデータ構造を示す模式図である。
【図９】前記一実施の形態における所定の文献情報におけるファミリ関連を示す概念図である。
【図１０】図９に示すファミリ関連情報のテーブルデータであるデータ構造を示す模式図である。
【図１１】前記一実施の形態における所定の文献情報におけるファミリ関連を示す概念図である。
【図１２】図１１に示すファミリ関連情報のテーブルデータであるデータ構造を示す模式図である。
【図１３】前記一実施の形態における所定の文献情報におけるファミリ関連を示す概念図である。
【図１４】図１３に示すファミリ関連情報のテーブルデータであるデータ構造を示す模式図である。
【図１５】前記一実施の形態における所定の文献情報におけるファミリ関連を示す概念図である。
【図１６】図１５に示すファミリ関連情報のテーブルデータであるデータ構造を示す模式図である。
【図１７】前記一実施の形態における引用関連情報のテーブルデータであるデータ構造を示す模式図である。
【図１８】前記一実施の形態における所定の文献情報における引用関連を示す概念図である。
【図１９】図１８に示す引用関連情報のテーブルデータであるデータ構造を示す模式図である。
【図２０】図８に示すファミリ関連情報のテーブルデータに基づいた検索結果情報のテーブルデータのデータ構造を示す模式図である。
【図２１】図１０に示すファミリ関連情報のテーブルデータに基づいた検索結果情報のテーブルデータのデータ構造を示す模式図である。
【図２２】図１２に示すファミリ関連情報のテーブルデータに基づいた検索結果情報のテーブルデータのデータ構造を示す模式図である。
【図２３】図１４に示すファミリ関連情報のテーブルデータに基づいた検索結果情報のテーブルデータのデータ構造を示す模式図である。
【図２４】図１６に示すファミリ関連情報のテーブルデータに基づいた検索結果情報のテーブルデータのデータ構造を示す模式図である。
【図２５】前記一実施の形態における引用関連情報のテーブルデータを作成する際の同一の引用文献情報を排除する動作を説明するためのテーブルデータを示す説明図であって、（Ａ）：引用関連の検出した文献情報のテーブルデータを示す概念図であって、（Ｂ）：同一の引用文献情報を排除した文献情報のテーブルデータを示す模式図である。
【図２６】図６に示すファミリ関連情報のテーブルデータを端末表示手段にて表示した表示形態を示す模式図である。
【図２７】前記一実施の形態における所定の引用関連を端末表示手段にて表示した表示形態を示す模式図である。
【図２８】前記一実施の形態における検索要求対象の文献情報がない場合の端末表示手段の表示形態を示す模式図である。
【図２９】前記一実施の形態における所定の文献情報における引用関連がない場合の端末表示手段の表示形態を示す模式図である。
【符号の説明】
【０１１７】
１００…文献情報検索システム
１１０…ネットワーク
２００…端末装置
２３０…出力手段としての表示手段
２５２…検索要求手段
３００…サーバ装置
３４０…読取手段としてのサーバ読取手段
３５０…記憶手段としてのサーバ記憶手段
３５１…記憶手段としてのファミリ関連情報データベース
３５２…記憶手段としての引用関連情報データベース
３６３…文献固有情報取得手段としての検索要求情報取得手段
３６４…検出手段
３６６…報知手段
【図１】
2005099937.tif 000003
【図２】
2005099937.tif 000004
【図３】
2005099937.tif 000005
【図４】
2005099937.tif 000006
【図５】
2005099937.tif 000007
【図６】
2005099937.tif 000008
【図７】
2005099937.tif 000009
【図８】
2005099937.tif 000010
【図９】
2005099937.tif 000011
【図１０】
2005099937.tif 000012
【図１１】
2005099937.tif 000013
【図１２】
2005099937.tif 000014
【図１３】
2005099937.tif 000015
【図１４】
2005099937.tif 000016
【図１５】
2005099937.tif 000017
【図１６】
2005099937.tif 000018
【図１７】
2005099937.tif 000019
【図１８】
2005099937.tif 000020
【図１９】
2005099937.tif 000021
【図２０】
2005099937.tif 000022
【図２１】
2005099937.tif 000023
【図２２】
2005099937.tif 000024
【図２３】
2005099937.tif 000025
【図２４】
2005099937.tif 000026
【図２５】
2005099937.tif 000027
【図２６】
2005099937.tif 000028
【図２７】
2005099937.tif 000029
【図２８】
2005099937.tif 000030
【図２９】
2005099937.tif 000031